(57)【要約】【課題】本発明は、鏡を通しての視界の広さと使い勝手との両立が図られたコンパクト容器を提供する。【解決手段】本発明のコンパクト1は、内容物を収納する容器本体2と、容器本体2との合せ面側に鏡Mが設けられた蓋体3とを有し、蓋体3が軸部を基点に容器本体2に対して開閉可能に連結されていると共に幅寸法LXと奥行き寸法LYとが異なる矩形であって、  奥行き寸法LYは、幅寸法LXよりも長手になるように構成され、容器の隅部Cのいずれか１箇所CCが角度θ2で面取りされてなり、この面取り形状に沿って軸部４を配置することで、蓋体3を開いたときに容器本体2の長手方向軸線OYと蓋体3の長手方向軸線OYとの相互間に９０度の角度が形成される。【選択図】図３
2010200829.tif 000002
【特許請求の範囲】
【請求項１】
内容物を収納する容器本体と、この容器本体との合せ面側に鏡が設けられた蓋体とを有し、蓋体が軸部を基点に容器本体に対して開閉可能に連結されていると共に幅寸法と奥行き寸法とが異なるコンパクト容器であって、
奥行き寸法は、幅寸法よりも長手になるように構成され、
前記軸部は、蓋体を開いたときに容器本体の長手方向軸線と蓋体の長手方向軸線との相互間に角度が形成されるように、長手方向軸線に対して角度をもった状態で、容器の隅部のいずれか１箇所に配置されていることを特徴とするコンパクト容器。
【請求項２】
請求項１において、前記軸部を配置した容器本体側又は蓋体側の少なくとも一方の隅部を、角部を切り欠いた面取り形状とし、当該隅部の面取り形状に沿って前記軸部を配置してなることを特徴とするコンパクト容器。
【請求項３】
請求項２において、隅部の面取り角度を４５度としたことを特徴とするコンパクト容器。
【請求項４】
請求項１乃至３のいずれか１項において、前記軸部は、容器本体の凹部に配置された蓋体の突出部を回転可能に支持するもの、又は、容器本体の突出部が配置された蓋体の凹部を回転可能に支持するものであることを特徴とするコンパクト容器。
【発明の詳細な説明】
【技術分野】
【０００１】
本発明は、内容物を収納する容器本体と、この容器本体との合せ面側に鏡が設けられた蓋体とを有し、蓋体が軸部を基点に容器本体に対して開閉可能に連結されていると共に幅寸法と奥行き寸法とが異なるコンパクト容器に関するものである。
【背景技術】
【０００２】
コンパクト容器は、主として、ファンデーションやアイシャドウ等を用いたメイクの際に使用される。このため、従来のコンパクト容器としては、幅寸法が奥行き寸法よりも長くなるように構成することで、鏡を通しての視界を広く確保できるようにしたものが一般的である（例えば、特許文献１参照）。
【先行技術文献】
【特許文献】
【０００３】
【特許文献１】実開平２−５１８１４号公報
【発明の概要】
【発明が解決しようとする課題】
【０００４】
しかしながら、上述のような従来のコンパクト容器は、幅寸法が長くなる分、横に細長くて持ち難いため、使い勝手に改善の余地がある。これに対し、奥行き寸法が幅寸法よりも長手になるように構成すれば、持ち難さの問題を解消できるが、鏡を通しての視界の広さが損なわれてしまうという問題がある。
【０００５】
本発明の目的とするところは、鏡を通しての横方向での視界の広さと使い勝手との両立が図られたコンパクト容器を提供することにある。
【課題を解決するための手段】
【０００６】
本発明である、コンパクト容器は、内容物を収納する容器本体と、この容器本体との合せ面側に鏡が設けられた蓋体とを有し、蓋体が軸部を基点に容器本体に対して開閉可能に連結されていると共に幅寸法と奥行き寸法とが異なるコンパクト容器であって、
奥行き寸法は、幅寸法よりも長手になるように構成され、
前記軸部は、蓋体を開いたときに容器本体の長手方向軸線と蓋体の長手方向軸線との相互間に角度が形成されるように、長手方向軸線に対して角度をもった状態で、容器の隅部のいずれか１箇所に配置されていることを特徴とするものである。
【０００７】
本発明では、前記軸部を配置した容器本体側又は蓋体側の少なくとも一方の隅部を、角部を切り欠いた面取り形状とし、当該隅部の面取り形状に沿って前記軸部を配置してなるものとすることができる。
【０００８】
更に、前記軸部を上述の面取り形状に沿って配置するときは、面取り角度を４５度とすることが好ましい。
【０００９】
また、前記軸部は、容器本体の凹部に配置された蓋体の突出部を回転可能に支持するもの、又は、容器本体の突出部が配置された蓋体の凹部を回転可能に支持するものとすることができる。
【発明の効果】
【００１０】
本発明では、奥行き寸法を幅寸法よりも長手になるように構成したことで、容器本体が奥行き方向に長くなる分、縦に細長く持ち易い。このため、横に細長い従来のコンパクト容器に比べて、使い勝手がよい。
【００１１】
また、本発明では、容器本体の長手方向軸線と蓋体の長手方向軸線との相互間に角度が形成されるように蓋体が開かれるため、蓋体を開いた状態での鏡を通しての視界は、横方向に広く確保される。このため、縦に開閉されるコンパクト容器に比べて、その視界を横方向に広く確保することができる。
【００１２】
従って、本発明によれば、鏡を通しての、横方向の視界の広さと使い勝手との両立が図られたコンパクト容器を提供することができる。特に、本発明に従うコンパクト容器を化粧用のコンパクト容器に適用すれば、アイシャドウを塗る等の際に、両目を同時に写すことが可能になる。
【００１３】
また、前記軸部を配置した容器本体側又は蓋体側の少なくとも一方の隅部を、角部を切り欠いた面取り形状とし、当該隅部の面取り形状に沿って前記軸部を配置すれば、面取り角度を調整するだけで蓋体を開いたときの容器本体の長手方向軸線と蓋体の長手方向軸線との相互間に形成される角度を調整できる。これにより、鏡を通しての、横方向の視界の広さと使い勝手との両立を容易に実現することができる。
【００１４】
ところで、本発明に従えば、容器本体及び蓋体が共に矩形である場合にも適用できる。
しかしながら、その場合、軸部を配置する隅部が先端を中心とした角度をなす角部として構成されると、蓋体を開閉するときに、互いの隅部が干渉することで開閉機能そのものが損なわれることが考慮される。
【００１５】
これに対し、上述のとおり、前記軸部を配置する前記隅部を面取りすれば、蓋体を開くときに生じる隅部同士の干渉を防止することができる。これにより、かかる干渉を回避すべく、容器本体と蓋体との間で軸部周辺を大型化させる必要等がなくなるため、容器としての薄型化（小型化）を図りつつ、鏡を通しての、横方向の視界の広さと使い勝手との両立を図ることができる。
【００１６】
更に、前記軸部を上述の面取り形状に沿って配置するとき、面取り角度が４５度となるようにすれば、蓋体を開いたとき縦長の容器本体に対して蓋体が真横に開くことになるので、鏡を通しての、横方向の視界を最も広く確保することができる。これにより、鏡を通しての、横方向の視界の広さと使い勝手との両立を最も効率的に図ることができる。
【００１７】
また、前記軸部を、容器本体の凹部に配置された蓋体の突出部を回転可能に支持するものとし、又は、容器本体の突出部が配置された蓋体の凹部を回転可能に支持するものとすれば、軸部が蓋体と容器本体との間に収納されることで、容器としての更なる薄型化（小型化）を図ることができる。
【図面の簡単な説明】
【００１８】
【図１】本発明であるコンパクト容器の一形態が蓋体を閉じた状態を示す上面図である。
【図２】同コンパクト容器が蓋体を閉じた状態を示す右側面図及び、そのＢ−Ｂ断面図である。
【図３】(a),(b)はそれぞれ、本発明であるコンパクト容器の一形態が蓋体を開いた状態を示す上面図及び、蓋体を容器本体に対して閉じたときに作用するロック機構を示す縦断面図である。
【発明を実施するための形態】
【００１９】
以下、図面を参照して、本発明であるコンパクト容器を詳細に説明する。
【００２０】
符号１は、本発明の一形態である、化粧用のコンパクト容器である。コンパクト容器１は、図１に示すように、幅寸法ＬXと奥行き寸法ＬYとが異なる矩形の外観形状を有し、奥行き寸法ＬYが幅寸法ＬXよりも長手になるように構成されている。
【００２１】
また、コンパクト容器１を矩形に形作る４つの隅部Ｃのうち、１つの隅部Ｃcは、図１に示すように、角部（同図にて破線で示す部分）を角度θ2で切り欠いた面取り形状をしてなる。本形態では、かかる隅部Ｃcを、幅方向ＯX（奥行き方向ＯY）に対する角度（以下、「面取り角度」）θ2が４５度となるように設定されている。
【００２２】
符号２は、内容物を収納する容器本体である。容器本体２の内側には凹部２ａが形成されている。凹部２ａには、アイシャドウ等の化粧料を充填保持した複数の化粧皿Ｓを備えるパレットＰが固定されている。
【００２３】
符号３は、容器本体２との合せ面側に鏡Ｍが設けられた蓋体である。蓋体３の隅部Ｃc側には、図２に示すように、突出部（以下、「蓋体側突出部」）３ｐが設けられている。これに対し、容器本体２の隅部Ｃc側には、同図に示すように、突出部３ｐが配置される凹部２ｂが形成されている。凹部２ｂは、その両側に２つの突出部（以下、「本体側突出部」）２ｃを形作る。
【００２４】
蓋体側突出部３ｐは、図２のＢ−Ｂ断面に示すように、軸部４を介して本体側突出部２ｃに連結されている。軸部４は、本体側突出部２ｐと蓋体側突出部３ｐとの少なくとも一方を回転可能に支持する。これにより、蓋体３は、軸部４を基点に容器本体２に対して開閉可能に連結される。
【００２５】
加えて、本形態に係る、軸部４は、面取り形状の隅部Ｃcの面取り形状に沿って配置されることで、当該隅部Ｃcと同様、長手方向軸線ＯYに対して角度θ2をもった状態で配置されることになる。これにより、蓋体３を開いたときに、当該蓋体３は、図３に示すように、容器本体２の長手方向軸線ＯYと蓋体３の長手方向軸線ＯYとの相互間に角度θ1（＝θ2×２）が形成されるように開くことなる。
【００２６】
本形態では、奥行き寸法ＬYを幅寸法ＬXよりも長く構成したことで、容器本体２が奥行き方向ＯYに長くなる分、縦に細長く持ち易い。このため、横に細長い従来のコンパクト容器に比べて、使い勝手がよい。
【００２７】
また、本形態では、図３に示すように、容器本体２の長手方向軸線ＯYと蓋体３の長手方向軸線ＯYとの相互間に角度θ1が形成されるように蓋体３が開かれるため、蓋体３を開いた状態での鏡Ｍを通しての視界は、横方向に広く確保される。このため、縦に開閉されるコンパクト容器に比べて、その視界を横方向に広く確保することができる。
【００２８】
従って、本形態によれば、鏡Ｍを通しての、横方向の視界の広さと使い勝手との両立が図られたコンパクト容器を提供することができる。特に、本形態の如く、本発明を化粧用のコンパクト容器に適用すれば、アイシャドウを塗る等の際に、両目を同時に写すことが可能になる。
【００２９】
また、本形態の如く、軸部４を配置した容器本体２側又は蓋体３の少なくとも一方の隅部Ｃcを、角部を切り欠いた面取り形状とし、当該隅部Ｃcの面取り形状に沿って軸部４を配置すれば、面取り角度θ2を調整するだけで蓋体３を開いたときの容器本体２の長手方向軸線ＯYと蓋体３の長手方向軸線ＯYとの相互間に形成される角度θ1を調整できる。これにより、鏡Ｍを通しての、横方向の視界の広さと使い勝手との両立を容易に実現することができる。
【００３０】
ところで、本発明に従えば、容器本体２及び蓋体３が共に矩形である場合にも適用できる。しかしながら、その場合、軸部４を配置する隅部Ｃが先端を中心とした角度をなす角部として構成されると、蓋体３を開閉するときに、互いの隅部Ｃが干渉することで開閉機能そのものが損なわれることが考慮される。
【００３１】
これに対し、本形態の如く、軸部４を配置する隅部Ｃcを面取りすれば、蓋体３を開くときに生じる隅部Ｃ同士の干渉を防止することができる。これにより、かかる干渉を回避すべく、容器本体２と蓋体３との間で軸部４周辺を大型化させる必要等がなくなるため、コンパクト容器としての薄型化（小型化）を図りつつ、鏡Ｍを通しての、横方向の視界の広さと使い勝手との両立を図ることができる。
【００３２】
更に、本形態の如く、軸部４を隅部Ｃcの面取り形状に沿って配置するとき、面取り角度θ2がθ2＝４５度となるようにすれば、蓋体３を開いたときに容器本体１の長手方向軸線ＯYと蓋体３の長手方向軸線ＯYとの相互間に形成される角度θ1が９０度となる。即ち、面取り角度θ2を４５度にすれば、図３に示すように、縦長の容器本体２に対して蓋体３が真横に開くことになるので、鏡Ｍを通しての、横方向の視界を最も広く確保することができる。これにより、鏡Ｍを通しての、横方向の視界の広さと使い勝手との両立を最も効率的に図ることができる。
【００３３】
また、本形態の如く、軸部４を、容器本体２の凹部２ａに配置された蓋体側突出部３ｐを回転可能に支持するものとすれば、軸部４が容器本体２と蓋体３との間に収納されることで、コンパクト容器としての更なる薄型化（小型化）を図ることができる。なお、こうしたコンパクト容器の薄型化（小型化）は、容器本体２側に突出部を設け、この突起部が配置される凹部を形成することで蓋体３を回転可能に支持するものとしても同様である。
【００３４】
ところで、蓋体３は、容器本体２に対して閉じたとき、図３(b)に示す既存のロック機構によって、その開放動作が規制される。ロック機構は、蓋体３を閉じたときには、図３(b)の実線に示すように、蓋体３に設けた第１フック５が容器本体２に設けた第２フック６に引っ掛かることで、容器本体２に合さった蓋体３の開放を阻止する。
【００３５】
これに対し、蓋体３を開くときには、容器本体２に対してスライド可能に設けたフックピース７を利用する。即ち、蓋体３を開くときには、使用者がフックピース７を押し込むことで当該フックピース７に設けた押圧片７ａが第２フック６を形成する斜面６ａを滑り上がる。これにより、押圧片７ａが同図の二点鎖線で示すように、蓋体３に設けた第１フック５を押し上げることで、第２フック６との引っ掛かりを解除する。
【００３６】
このように、本形態のように構成しても、既存のロック機構を流用することができる。
【００３７】
上述したところは、本発明の好適な形態をしたものであるが、特許請求の範囲において、種々の変更を加えることができる。
【産業上の利用可能性】
【００３８】
本発明は、化粧用のコンパクト容器に限定されるものではなく、例えば、目元に塗布する軟膏等を内容物とする医薬品用のコンパクト容器等としても適用できる。
【符号の説明】
【００３９】
１    コンパクト容器
２    容器本体
２ｃ  容器本体側の開閉用突出部
３    蓋体
３ｐ  蓋体側の開閉用突出部
４    軸部
Ｍ    鏡
【図１】
2010200829.tif 000003
【図２】
2010200829.tif 000004
【図３】
2010200829.tif 000005